(57)【要約】【課題】与えられた記憶領域を効率的に利用しつつ、放送および通信を介して取得されるコンテンツを、所望のスケジュールで再生する。【解決手段】デジタルサイネージ装置１１０は、通信を介して、コンテンツおよびコンテンツの再生リストを含む通信データを受信する通信部２００と、受信された通信データを保持する保持部２０４と、放送波を介して、コンテンツを含む放送データを受信する放送受信部２０２と、受信された放送データから選択した放送データを保持部に保持させると共に、通信データまたは放送データに基づくコンテンツを、再生リストの順に報知部２０８に報知させる制御部２１０と、を備え、制御部は、放送受信部が放送データを受信すると、受信された放送データが、再生リストに含まれるか否かを判定し、再生リストに含まれる場合、保持部に放送データを保持させる。【選択図】図２
2014096748.tif 000002
【特許請求の範囲】
【請求項１】
通信を介して、コンテンツおよび前記コンテンツの再生リストを含む通信データを受信する通信部と、
受信された前記通信データを保持する保持部と、
放送波を介して、コンテンツを含む放送データを受信する放送受信部と、
受信された前記放送データから選択した放送データを前記保持部に保持させると共に、前記通信データまたは前記放送データに基づくコンテンツを、前記再生リストの順に報知部に報知させる制御部と、
を備え、
前記制御部は、前記放送受信部が前記放送データを受信すると、受信された前記放送データが、前記再生リストに含まれるか否かを判定し、前記再生リストに含まれる場合、前記保持部に前記放送データを保持させることを特徴とするデジタルサイネージ装置。
【請求項２】
前記制御部は、前記放送波を介して受信可能な放送データのコンテンツのリストである放送リストを予め取得しており、前記再生リストに含まれ、前記放送リストに含まれないコンテンツを特定し、特定した前記コンテンツを含む前記通信データを、前記通信部に受信させることを特徴とする請求項１に記載のデジタルサイネージ装置。
【請求項３】
前記制御部は、前記保持部に保持された前記放送データと、同種のコンテンツの放送データを前記放送受信部が新たに受信すると、それぞれの放送データに含まれる、放送データが更新された時刻情報を比較し、前記時刻情報が示す時刻が遅い放送データのみを前記保持部に保持させることを特徴とする請求項１または２に記載のデジタルサイネージ装置。
【請求項４】
前記制御部は、前記放送受信部が前記放送波を介して緊急データを受信すると、前記緊急データに基づく緊急情報を、報知すべき報知タイミングで前記報知部に報知させることを特徴とする請求項１から３のいずれか１項に記載のデジタルサイネージ装置。
【請求項５】
車両に搭載される前記デジタルサイネージ装置であって、
前記通信部は、前記車両の車庫に設置された通信端末との通信を介して前記通信データを受信することを特徴とする請求項１から４のいずれか１項に記載のデジタルサイネージ装置。
【発明の詳細な説明】
【技術分野】
【０００１】
本発明は、通信を介して取得された情報を報知するデジタルサイネージ装置に関する。
【背景技術】
【０００２】
近年、通信を介して取得された広告情報を表示するデジタルサイネージ装置（電子看板）が普及し始めている。デジタルサイネージ装置は、ビルのディスプレイや駅構内に固定的に配置される他、移動するバスや電車などの交通機関の車両内にも設置される。
【０００３】
また、通信を介して取得された広告情報を表示する他、ＦＭ文字多重放送による放送データを受信すると、放送データに含まれる文字情報を表示するデジタルサイネージ装置も提案されている（例えば、特許文献１）。また、最近では、放送や通信を介して音声や映像などのコンテンツをストリーミング形式やダウンロード形式で配信するマルチメディア放送が開始しており、特許文献１に記載の技術で、ＦＭ文字多重放送の代わりにマルチメディア放送を用いることも想定される。
【先行技術文献】
【特許文献】
【０００４】
【特許文献１】特開平１０−７５２２０号公報
【発明の概要】
【発明が解決しようとする課題】
【０００５】
特許文献１に記載のデジタルサイネージ装置は、ＦＭ放送局から放送データを受信しているときに、受信された放送データに含まれる文字情報の番組を表示している。そのため、放送に同期したタイミングでのコンテンツ表示しか行えず、無線通信を介して取得された広告情報は、番組の合間でしか表示できない。また、無線通信を介して、広告情報以外のコンテンツを取得できる場合であっても、コンテンツの種類や表示時間は、放送のスケジュールに合わせたものとなってしまう。
【０００６】
特に、マルチメディア放送では、ダウンロード配信の場合、短時間に大量のコンテンツが放送される可能性がある。この場合、デジタルサイネージ装置が受信したすべてのコンテンツを記憶部に保持すると、大容量のストレージが必要となる上、再生が追い付かず、結局、記憶部に保持したコンテンツの一部を、再生せずに削除しなければならない。
【０００７】
そこで本発明は、このような課題に鑑み、与えられた記憶領域を効率的に利用しつつ、放送および通信を介して取得されるコンテンツを、所望のスケジュールで再生することが可能なデジタルサイネージ装置を提供することを目的としている。
【課題を解決するための手段】
【０００８】
上記課題を解決するために、本発明のデジタルサイネージ装置は、通信を介して、コンテンツおよびコンテンツの再生リストを含む通信データを受信する通信部と、受信された通信データを保持する保持部と、放送波を介して、コンテンツを含む放送データを受信する放送受信部と、受信された放送データから選択した放送データを保持部に保持させると共に、通信データまたは放送データに基づくコンテンツを、再生リストの順に報知部に報知させる制御部と、を備え、制御部は、放送受信部が放送データを受信すると、受信された放送データが、再生リストに含まれるか否かを判定し、再生リストに含まれる場合、保持部に放送データを保持させることを特徴とする。
【０００９】
制御部は、放送波を介して受信可能な放送データのコンテンツのリストである放送リストを予め取得しており、再生リストに含まれ、放送リストに含まれないコンテンツを特定し、特定したコンテンツを含む通信データを、通信部に受信させてもよい。
【００１０】
制御部は、保持部に保持された放送データと、同種のコンテンツの放送データを放送受信部が新たに受信すると、それぞれの放送データに含まれる、放送データが更新された時刻情報を比較し、時刻情報が示す時刻が遅い放送データのみを保持部に保持させてもよい。
【００１１】
制御部は、放送受信部が放送波を介して緊急データを受信すると、緊急データに基づく緊急情報を、報知すべき報知タイミングで報知部に報知させてもよい。
【００１２】
車両に搭載されるデジタルサイネージ装置であって、通信部は、車両の車庫に設置された通信端末との通信を介して通信データを受信してもよい。
【発明の効果】
【００１３】
本発明によれば、与えられた記憶領域を効率的に利用しつつ、放送および通信を介して取得されるコンテンツを、所望のスケジュールで再生することが可能となる。
【図面の簡単な説明】
【００１４】
【図１】コンテンツ配信システムの概略的な接続関係を示した説明図である。
【図２】デジタルサイネージ装置の概略を示した機能ブロック図である。
【図３】通信によるコンテンツ取得方法の全体的な流れを示すフローチャートである。
【図４】放送によるコンテンツ取得方法の全体的な流れを示すフローチャートである。
【図５】プレイリストの一例を説明するための説明図である。
【図６】コンテンツ再生方法の全体的な流れを示すフローチャートである。
【発明を実施するための形態】
【００１５】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１６】
（コンテンツ配信システム１００）
図１は、コンテンツ配信システム１００の概略的な接続関係を示した説明図である。図１に示すように、コンテンツ配信システム１００は、デジタルサイネージ装置１１０と、通信端末１２０と、サーバ１３０と、放送局１４０とを含んで構成される。
【００１７】
デジタルサイネージ装置１１０は、例えば、バス、タクシー、電車、船舶などの移動体に設置される電子看板であって、広告や番組などのコンテンツを搭乗者に報知する。本実施形態においては、移動体として、バスなどの車両１１２を例に挙げる。また、コンテンツが含まれるデータの種類には、動画または静止画の画像データや音声データなどが含まれる。
【００１８】
通信端末１２０は、例えば、車両１１２の基地などの車庫１１４に設置された路側機などで構成される。そして、通信端末１２０は、ＤＳＲＣ（Dedicated Short Range Communications）や無線ＬＡＮなどの無線通信技術を用いて、サーバ１３０とデジタルサイネージ装置１１０を通信させる。
【００１９】
サーバ１３０は、例えば、車両１１２の基地などの車庫１１４に設置され、広告や番組などのコンテンツを含む通信データを保持する。通信データは定期的（例えば毎日の定刻）に更新される。デジタルサイネージ装置１１０は、車庫１１４に停車中、サーバ１３０と通信して通信データを取得する。
【００２０】
放送局１４０は、放送波によって、コンテンツを含む放送データをダウンロード配信やストリーミング配信する。すなわち、放送局１４０は、所謂マルチメディア放送を遂行している。マルチメディア放送で配信される放送データのうち、ニュースなどのリアルタイム性の高いものは一日に複数回更新される。また、放送データが受信されなかった場合に備え、同一内容、かつ、タイムスタンプが同時刻の放送データも複数回放送される。デジタルサイネージ装置１１０は、この放送局１４０のマルチメディア放送を介して、放送データを取得する。
【００２１】
このように、デジタルサイネージ装置１１０は、通信と放送を組み合わせてコンテンツを取得することで、放送波を受信し難い環境であっても、予め通信を介して取得していたコンテンツを再生できる。また、車両１１２の走行中、いずれかのタイミングで放送波を受信できれば、ニュース、天気予報、道路交通情報、鉄道運行情報、飛行機のフライト情報、株価、為替レート、占いなど、比較的更新頻度が高いコンテンツをダウンロードして再生することが可能となる。
【００２２】
マルチメディア放送では、仮に、個々のデジタルサイネージ装置１１０それぞれに合わせた専用のコンテンツを送信するようにすると、放送編成が複雑化する上、その放送を受信できるデジタルサイネージ装置１１０が限定されてしまう。そのため、ここでは、放送波を利用して、多数のデジタルサイネージ装置１１０に向けた汎用性の高いコンテンツを送信することとする。
【００２３】
また、ここでは、サーバ１３０が車両１１２の車庫１１４に設置される場合について説明したが、通信端末１２０をインターネットなどの通信網に接続し、サーバ１３０がその通信網および通信端末１２０を介してデジタルサイネージ装置１１０と通信するとしてもよい。この場合、サーバ１３０の設置場所は、通信網に接続できれば車庫１１４に限定されず何処であってもよい。
【００２４】
また、ここでは、車両の車庫１１４に通信端末１２０を設置しており、複数の車両１１２それぞれに搭載されたデジタルサイネージ装置１１０は、同じ通信端末１２０を利用してコンテンツを取得できる。そのため、コンテンツ配信システム１００では、デジタルサイネージ装置１１０毎に複数の回線契約をする必要なく、かつ、デジタルサイネージ装置１１０は、移動通信端末の回線契約をせずとも、マルチメディア放送によって最新のコンテンツを取得できる。
【００２５】
そして、本実施形態のデジタルサイネージ装置１１０は、デジタルサイネージ装置１１０個々に、コンテンツの再生スケジュールの設定が容易であって、記憶領域を不要なコンテンツで圧迫することなく効率的に利用することが可能となる。以下、デジタルサイネージ装置１１０の概略的な構成について説明し、その具体的な処理の流れについて詳述する。
【００２６】
（デジタルサイネージ装置１１０）
図２は、デジタルサイネージ装置１１０の概略を示した機能ブロック図である。図２に示すように、デジタルサイネージ装置１１０は、通信部２００と、放送受信部２０２と、保持部２０４と、一時記憶部２０６と、報知部２０８と、制御部２１０とを備える。
【００２７】
通信部２００は、上述した無線通信技術によって、サーバ１３０（通信端末１２０）と通信し、通信データを受信する。この通信データには、上記のコンテンツに加えて、コンテンツのプレイリスト（再生リスト）が含まれる。
【００２８】
ここでは、通信部２００は、無線通信技術を介して通信端末１２０およびサーバ１３０と通信し、通信データを受信する場合について説明したが、通信部２００は、無線通信技術に限らず、有線通信技術を用いてサーバ１３０から通信データを取得してもよい。
【００２９】
また、通信データを記憶させた、ＵＳＢメモリやＳＤカードなどの記憶媒体をデジタルサイネージ装置１１０に接続し、制御部２１０が、記憶媒体から通信データを取得して保持部２０４に保持させてもよい。この場合、通信部２００は、制御部２１０と記憶媒体との通信機能部であって、例えば、制御部２１０に搭載された、ＵＳＢによる通信を制御する機能部（ＵＳＢホスト機能など）そのものであってもよい。
【００３０】
放送受信部２０２は、放送局１４０からの放送波を介して放送データを受信する。そして、放送受信部２０２は、受信された放送データをデコードし、暗号化されたコンテンツを復号して、復号したコンテンツ、タイムスタンプ（時刻情報）、および、ＥＰＧ（電子番組表）情報を、例えば、ＵＳＢなどのインターフェースで放送データを制御部２１０に出力する。このとき、コンテンツは、例えば、ストリーム形式で制御部２１０に出力される。
【００３１】
保持部２０４は、ＨＤＤ、フラッシュメモリ、不揮発性ＲＡＭ等で構成される。また、保持部２０４は、制御部２１０に接続されており、制御部２１０のＣＰＵを動作させるプログラム、通信部２００を介して受信された通信データおよび放送受信部２０２を介して受信された放送データに含まれるコンテンツ、および、コンテンツの再生ログ情報などを保持する。
【００３２】
一時記憶部２０６は、例えば、ＤＲＡＭなどの揮発性メモリで構成され、制御部２１０と接続され、デジタルサイネージ装置１１０が稼働中、保持部２０４から展開されたＣＰＵを動作させるプログラムや、制御部２１０による処理データを記憶する。
【００３３】
報知部２０８は、例えば、スピーカ付きの表示装置（ディスプレイ）で構成され、制御部２１０からＨＤＭＩ（High-Definition Multimedia Interface）などの規格で伝送された画像データおよび音声データなどのコンテンツを表示して、コンテンツの内容を報知する。
【００３４】
制御部２１０は、例えば、複数の機能を集積したＳＯＣ（System On a Chip）で構成される。具体的に、制御部２１０は、ＣＰＵ、通信データのデコード用ハードウェア、ＵＳＢホスト機能、報知部２０８に対するＨＤＭＩソース機能、保持部２０４および一時記憶部２０６の制御機能などが搭載されている。
【００３５】
（コンテンツ取得方法）
図３は、通信によるコンテンツ取得方法の全体的な流れを示すフローチャートである。図３に示すように、デジタルサイネージ装置１１０は、車両１１２が車庫１１４に停車中、通信端末１２０を介してサーバ１３０と通信する。具体的には、車両１１２が通信端末１２０と通信可能なエリアに停車すると、デジタルサイネージ装置１１０と通信端末１２０の無線通信が確立され、サーバ１３０との通信が開始する（Ｓ３００）。
【００３６】
ここで、サーバ１３０が保持するコンテンツおよびプレイリストは、例えば、一日毎に更新されている。また、プレイリストについては、車両１１２（デジタルサイネージ装置１１０）毎に異なり、車両１１２（デジタルサイネージ装置１１０）を識別するＩＤ情報などに関連付けてサーバ１３０のストレージに保持されている。
【００３７】
デジタルサイネージ装置１１０は、デジタルサイネージ装置１１０を特定するＩＤ情報をサーバ１３０に送信する（Ｓ３０２）。サーバ１３０は、デジタルサイネージ装置１１０からＩＤ情報を受信すると、サーバ１３０のストレージに保持されている、ＩＤ情報に対応するプレイリストをデジタルサイネージ装置１１０に送信する。
【００３８】
デジタルサイネージ装置１１０の制御部２１０は、受信されたプレイリストを保持部２０４に保存し（Ｓ３０４）、プレイリストと、予め保持部２０４に保持されたＥＰＧ情報を一時記憶部２０６に読み出す（Ｓ３０６）。
【００３９】
ここで、制御部２１０は、車両１１２が移動中などにＥＰＧ情報を、放送受信部２０２が受信した放送データから予め取得している。ＥＰＧ情報は、具体的には、放送波を介して受信可能な放送データのコンテンツに関し、コンテンツの名称と配信時間帯などが示されたリストである放送リストとなっている。
【００４０】
制御部２１０は、プレイリストに含まれているが放送リストには含まれず、かつ、保持部２０４に保持されていないコンテンツがあるか否かを判定する（Ｓ３０８）。保持されていないコンテンツがある場合（Ｓ３０８におけるＹＥＳ）、そのコンテンツを含む通信データを通信部２００にサーバ１３０から受信させる（Ｓ３１０）。そして、制御部２１０は、必要なコンテンツがすべて保持部２０４に保持された状態となるまで、コンテンツ確認ステップＳ３０８を繰り返す。
【００４１】
必要なコンテンツがすべて保持部２０４に保持された状態となると（Ｓ３０８におけるＮＯ）、制御部２１０は、報知部２０８に通信データの取得完了を、例えば車両１１２の運転手に報知する音声を出力させ（Ｓ３１２）、処理を終了する。
【００４２】
図４は、放送によるコンテンツ取得方法の全体的な流れを示すフローチャートである。通信データを取得していないとき、例えば、車両１１２の走行中においては、図４に示すように、放送受信部２０２は、マルチメディア放送を受信していない場合（Ｓ３５０におけるＮＯ）、受信できるまで待機し、受信可能となると（Ｓ３５０におけるＹＥＳ）、マルチメディア放送を介して、放送データを取得する（Ｓ３５２）。そして、放送受信部２０２は、受信された放送データをデコードし、制御部２１０に出力する（Ｓ３５４）。
【００４３】
制御部２１０は、受信された放送データに含まれるコンテンツが、プレイリストに含まれるか否かを判定する（Ｓ３５６）。コンテンツがプレイリストに含まれない場合（Ｓ３５６におけるＮＯ）、放送受信判定ステップＳ３５０に処理を戻す。
【００４４】
このように、放送波を介して取得したコンテンツがプレイリストに含まれない場合、そのコンテンツを保持部２０４に保持させないことで、保持部２０４の記憶領域を、再生するコンテンツの保持に有効に利用することが可能となる。
【００４５】
受信された放送データに含まれるコンテンツがプレイリストに含まれる場合（Ｓ３５６におけるＹＥＳ）、受信されたコンテンツを保持部２０４に保持させる（Ｓ３５８）。そして、制御部２１０は、保持部２０４にすでに保持されているコンテンツを参照し、受信されたコンテンツとカテゴリが同じ（同種の）コンテンツがあるか否かを判定する（Ｓ３６０）。カテゴリが同じコンテンツがない場合（Ｓ３６０におけるＮＯ）、放送受信判定ステップＳ３５０に処理を戻す。ここで、カテゴリは、ニュース、広告、交通情報など、コンテンツの種別を示し、コンテンツごとに予め設定される。
【００４６】
そして、制御部２１０は、同じカテゴリのコンテンツがある場合（Ｓ３６０におけるＹＥＳ）、同じカテゴリのコンテンツ同士のタイムスタンプを比較し（Ｓ３６２）、タイムスタンプが遅い方のコンテンツを残して、タイムスタンプが早い方のコンテンツ、すなわち、古いコンテンツを削除する（Ｓ３６４）。このとき、タイムスタンプが同じ場合には、いずれか一方のコンテンツのみを削除する。そして、放送受信判定ステップＳ３５０に処理を戻す。
【００４７】
このように、本実施形態のデジタルサイネージ装置１１０は、保持部２０４に保持された放送データと、同じカテゴリのコンテンツの放送データを放送受信部２０２が新たに受信すると、それぞれの放送データに含まれる放送データが更新されたタイムスタンプを比較し、タイムスタンプが示す時刻が遅い放送データのみを保持部２０４に保持させる。制御部２１０は、保持部２０４に残された方の放送データを、プレイリストに基づくタイミングで再生する。
【００４８】
そのため、デジタルサイネージ装置１１０は、上述したニュースなどの比較的更新頻度が高いコンテンツについて、保持部２０４に保持させるコンテンツを頻繁、かつ、リアルタイムに最新版に置換することが可能となる。
【００４９】
デジタルサイネージ装置１１０は、図４に示すコンテンツ取得処理と並列して、プレイリストに基づくコンテンツの再生処理を遂行する。以下、プレイリストについて説明した後、デジタルサイネージ装置１１０のコンテンツ再生方法について詳述する。
【００５０】
（プレイリスト）
図５は、プレイリストの一例を説明するための説明図である。図５（ａ）に示すように、保持部２０４には、例えば、ｐｌａｙｌｉｓｔフォルダが配される。ｐｌａｙｌｉｓｔフォルダ内には再生時間帯毎に分けられた時間帯フォルダが設けられ、それぞれの時間帯フォルダ内にプレイリストが格納されている。
【００５１】
例えば、図５（ａ）に示すｐｌａｙｌｉｓｔフォルダ中の時間帯フォルダである、０５００−１０００フォルダ内には、５：００から１０：００の時間帯に再生するコンテンツのプレイリストが格納されている。
【００５２】
図５（ｂ）に示すように、プレイリストには、例えば、「００１ｐｉｃｔｕｒｅ００３」「００２ｐｉｃｔｕｒｅ００１」「００３ｍｏｖｉｅ００２」「００４ｐｉｃｔｕｒｅ００４」「００５ｂｒｏａｄｃａｓｔ００１」「００６ｐｉｃｔｕｒｅ００２」「００７ｍｏｖｉｅ００１」「００８ｂｒｏａｄｃａｓｔ００２」などの文字列が記載されている。それぞれの文字列は、先頭から３文字が生成順を示す序数であって、残りの文字がコンテンツの名称を示す。ここでは、コンテンツの名称は、コンテンツの拡張子を除いたファイル名である。
【００５３】
図５（ｂ）に示すプレイリストでは、１番目にｐｉｃｔｕｒｅ００３．ｊｐｇファイル、２番目にｐｉｃｔｕｒｅ００１．ｊｐｇファイル、３番目にｍｏｖｉｅ００２．ｍｐ４ファイル、４番目にｐｉｃｔｕｒｅ００４．ｊｐｇファイル、５番目にｂｒｏａｄｃａｓｔ００１．ｊｐｇファイル、６番目にｐｉｃｔｕｒｅ００２．ｊｐｇファイル、７番目にｍｏｖｉｅ００１．ｍｐ４ファイル、８番目にｂｒｏａｄｃａｓｔ００２．ｍｐ４ファイルを再生させる。
【００５４】
ここでは、ファイル名にｐｉｃｔｕｒｅ、または、ｍｏｖｉｅの文字列が含まれるファイルは、通信を介して取得されたコンテンツであり、ｂｒｏａｄｃａｓｔの文字列が含まれるファイルは、マルチメディア放送を介して取得されたコンテンツである。また、拡張子がｊｐｇなどの静止画の場合、例えば、予め設定された時間（３０秒間など）、報知部２０８に静止画が表示される。一方、拡張子がｍｐ４などの動画の場合、動画が終わるまで報知部２０８に表示されることとなる。
【００５５】
プレイリストは、デジタルサイネージ装置１１０それぞれが搭載された車両１１２の路線に適したものが設定される。例えば、路線としては、地元住民の利用が多いローカル路線、空港と駅を連絡する特定路線、高速など長距離を走る長距離バス路線、観光路線などの種類が挙げられる。
【００５６】
具体的には、ローカル路線の場合、地方自治体からの「納税」「国民健康保険証の切替」「イベント」などの通知、付近の販売店などからの広告や、通勤時間帯においては、ローカル路線付近の他の交通機関の運行情報などのコンテンツがプレイリストに載せられることとなる。
【００５７】
また、特定路線では、特定路線と接続する交通機関への乗り換え案内情報、観光土産（名物）、宿泊施設等の広告、停車するバス停付近の施設情報、特定の空港に向かう路線であれば、空港施設および搭乗手続きに関する情報、フライト運行情報などがプレイリストに載せられる。
【００５８】
長距離バス路線では、走行予定の高速道路に関する、渋滞情報や休憩所までの距離などの情報、長距離バス路線と接続する交通機関への乗り換え案内情報、観光土産、宿泊施設等の広告などがプレイリストに載せられる。また、観光路線バスでは、観光予定の観光名所の場所、観光土産、休憩所などがプレイリストに載せられる。
【００５９】
（コンテンツ再生方法）
図６は、コンテンツ再生方法の全体的な流れを示すフローチャートである。図６に示すように、車両１１２の走行中などにおいて、制御部２１０は、保持部２０４から一時記憶部２０６にプレイリストを読み出す（Ｓ４００）。
【００６０】
制御部２１０は、プレイリストに従って、保持部２０４に保持されたコンテンツの再生を開始する（Ｓ４０２）。制御部２１０は、保持部２０４に保存されている、通信データおよび放送データから選択した通信データまたは放送データに基づくコンテンツを、プレイリストの順に報知部２０８に報知させ、プレイリストの最後まで再生が終了した場合、プレイリストの最初に戻って再生を繰り返す。
【００６１】
コンテンツの再生中、制御部２１０は、緊急データの受信があるか否かを判定し（Ｓ４０４）、緊急データの受信がない場合（Ｓ４０４におけるＮＯ）、報知タイミング判定処理ステップＳ４０８に処理を移す。放送受信部２０２が放送波を介して緊急データを受信すると（Ｓ４０４におけるＹＥＳ）、制御部２１０は、緊急データを保持部２０４に保持させる（Ｓ４０６）。ここで、緊急データは、例えば、緊急地震速報や津波情報などの緊急情報を含む。
【００６２】
続いて、制御部２１０は、それまでに受信した緊急データに関し、現在再生中のコンテンツの後、プレイリストの最後、または、予め設定された待機時間が経過後など、緊急情報の内容に応じた報知タイミングになったか否かを判定する（Ｓ４０８）。報知タイミングになっていない場合（Ｓ４０８におけるＮＯ）、停止指示判定ステップＳ４１２に処理を移す。報知タイミングになると（Ｓ４０８におけるＹＥＳ）、緊急情報を報知部２０８に報知させる（Ｓ４１０）。
【００６３】
緊急情報が、例えば、津波警報である場合、津波の規模や到達予想時刻などによっては、緊急性がそれほど高くない場合も想定される。また、津波警報の解除情報も緊急情報として交付される。このような場合、緊急情報を報知すべき報知タイミングは遅くともよく、プレイリストの最後になったときが報知タイミングとして設定されたり、緊急情報を繰り返すように報知タイミングが設定されたりするなど、適宜、変更可能となる。
【００６４】
そして、制御部２１０は、コンテンツの再生を停止する指示があるか否かを判定し（Ｓ４１２）、停止する指示があると（Ｓ４１２におけるＹＥＳ）、コンテンツの再生を停止して（Ｓ４１４）、処理を終了する。停止する指示がない場合（Ｓ４１２におけるＮＯ）、緊急データ受信判定ステップＳ４０４に処理を移す。
【００６５】
このように、デジタルサイネージ装置１１０は、マルチメディア放送の緊急データに含まれる緊急情報のコンテンツを取得できるため、地震や津波等に関する緊急情報を、無線通信を介して取得する場合に比べ、通信集中による輻輳の影響を回避し、迅速に緊急情報を取得することが可能となる。
【００６６】
上述したデジタルサイネージ装置１１０が設置される場所は、車両１１２内に限られず、通信端末１２０との通信や、放送局１４０の放送の受信が可能となる期間があって、人の往来や出入りのあるいずれの場所に設けられてもよい。いずれにしても、デジタルサイネージ装置１１０は、通信端末１２０と通信が可能な状態と、通信端末１２０と通信が不可能かつ放送局１４０の放送が受信可能な状態それぞれに遷移する場合に好適に用いられる。
【００６７】
特に、上述した実施形態のように、デジタルサイネージ装置１１０が車両１１２に搭載され、通信部２００が車両１１２の車庫１１４に設置された通信端末１２０との通信を介して通信データを受信する構成により、車庫１１４に戻ったタイミングで定期的かつ確実に通信データを受信することが可能となり、通信端末１２０の盗難などのリスクも低減できる。
【００６８】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【００６９】
なお、本明細書のコンテンツ取得方法およびコンテンツ再生方法の各工程は、必ずしもフローチャートとして記載された順序に沿って時系列に処理する必要はなく、並列的あるいはサブルーチンによる処理を含んでもよい。
【産業上の利用可能性】
【００７０】
本発明は、放送および通信を介して取得した情報を報知するデジタルサイネージ装置に利用することができる。
【符号の説明】
【００７１】
１１０  …デジタルサイネージ装置
１１２  …車両
１１４  …車庫
１２０  …通信端末
２０２  …放送受信部
２０４  …保持部
２０８  …報知部
２１０  …制御部
【図１】
2014096748.tif 000003
【図２】
2014096748.tif 000004
【図３】
2014096748.tif 000005
【図４】
2014096748.tif 000006
【図５】
2014096748.tif 000007
【図６】
2014096748.tif 000008